(57)【要約】【課題】ユーザにどちら側の方向に隠れた項目があるかを簡単に知らせることができる映像表示装置及びその表示方法を提供する。【解決手段】実施形態によれば、リスト表示された項目を表示する表示画面２２４と、表示画面２２４に表示された項目をスクロールする複数方向を示すスクロール方向マークと、リスト表示された項目が表示画面２２４内に収まらない場合、その項目が隠れている方向を示すスクロール方向マークを全て点滅表示させる制御手段２５２とを有することを特徴とする。【選択図】  図２
2012141787.tif 000002
【特許請求の範囲】
【請求項１】
情報を表示する表示画面と、
前記表示画面に表示された前記情報をスクロールする複数のスクロール方向マークと、
前記情報が前記表示画面内に収まらない場合、前記情報が隠れている方向を示す前記スクロール方向マークを全て点滅表示させる制御手段とを有することを特徴とする映像表示装置。
【請求項２】
前記制御手段は、前記情報が隠れている方向を示す前記スクロール方向マークを、点灯表示、拡大表示、または色付き表示させることを特徴とする請求項１記載の映像表示装置。
【請求項３】
表示画面に情報を表示させ、
前記表示画面に表示された前記情報を複数のスクロール方向マークによってスクロールさせ、
前記情報が前記表示画面内に収まらない場合、前記情報が隠れている方向を示す前記スクロール方向マークを全て点滅表示させることを特徴とする表示方法。
【請求項４】
前記スクロール方向マークは、点灯表示、拡大表示、または色付き表示されることを特徴とする請求項３記載の表示方法。
【発明の詳細な説明】
【技術分野】
【０００１】
本発明の実施の形態は、映像・音声出力が可能な映像表示装置及びその表示方法に関する。
【背景技術】
【０００２】
従来、ネットワーク技術の向上に応じて、ネットワークを介して接続された通信機器間で、通話するための様々なアプリケーション等が提案されている。
インターネット網の普及に伴い、テレビジョン受信装置（ＴＶ装置）においても、番組すなわちコンテンツを、インターネット網を経由して取得（受信）できる。
また、インターネット網においては、ＩＰ（Internet Protocol）を用いる音声通信あるいは映像、特に動画が付属する通信すなわちＩＰ電話の利用が可能である。
【先行技術文献】
【特許文献】
【０００３】
【特許文献１】特開２００３−０８４８８２号公報
【発明の概要】
【発明が解決しようとする課題】
【０００４】
ＴＶ装置は、コンテンツに対応するプレイリストをリスト表示する場合、まだ表示されていない（隠れている）プレイリストをスクロールバーでスクロールさせて表示させることが開示されている。
【０００５】
しかしながら、隠れているリストがどちらの方向にあるのかを示す手段は備えていない。
そこで本発明が解決しようとする課題は、ユーザにどちら側の方向に隠れた項目があるかを簡単に知らせることができる映像表示装置及びその表示方法を提供するところにある。
【課題を解決するための手段】
【０００６】
実施形態によれば、情報を表示する表示画面と、前記表示画面に表示された前記情報をスクロールする複数のスクロール方向マークと、前記情報が前記表示画面内に収まらない場合、前記情報が隠れている方向を示す前記スクロール方向マークを全て点滅表示させる制御手段とを有することを特徴とする。
【図面の簡単な説明】
【０００７】
【図１】実施形態に係る映像表示装置の概略を示す図である。
【図２】ｓｋｙｐｅを利用する際に表示するリストを示した表示画面例である。
【図３】図２のリスト表示を表示するためのフローチャートである。
【発明を実施するための形態】
【０００８】
以下、実施の形態について図面を参照して説明する。
図１は、実施形態にかかる映像表示装置と同映像表示装置に組み込まれる通信装置の一例を示した図である。なお、以下に説明する要素や構成あるいは機能は、ハードウエアで実現するものであってもよいし、マイクロコンピュータ（処理装置、ＣＰＵ）等、を用いてソフトウエアで実現するものであってもよい。
【０００９】
図１が示す映像表示装置１００は、例えばテレビジョン放送を受信して音声（オーディオ）及び映像（ビデオ）を再生するデジタルテレビジョン受像装置を含んでいる。
【００１０】
映像表示装置１００は、少なくともデジタル放送の番組すなわちコンテンツを受信し、再生する。なお、映像表示装置１００は、インターネット（ネットワーク）通信回線１５０を通じて供給されるコンテンツの受信を可能とする。また、映像表示装置１００は、インターネット通信回線１５０を通じて接続される任意の接続相手先との間で、ＩＰ（Internet  Protocol）を用いた音声（オーディオを含む）及び動画（ビデオ）を用いたＩＰ電話の利用を可能とする。
【００１１】
映像表示装置１００のチューナ部２１１は、アンテナを介してコンテンツ（番組）を受信する。そして、分離（Ｄｅｍｕｘ）部２１２が、受信したコンテンツを、映像データと、音声（オーディオ）データと、に分離する。
【００１２】
映像処理ブロック２２１が、映像デコーダ２３２と、映像処理部２２３と、を備える。そして、映像デコーダ２３２が、分離部２１２により分離された映像データをデコードし、デジタル映像信号として出力する。
【００１３】
映像処理部２２３は、映像デコーダ２３２から出力された映像データを、後段のディスプレイ２２４で表示可能に処理する。本実施形態にかかる映像処理部２２３は、映像データに対して、所定の解像度及び出力方式、例えばインターレース（ｉ）／ノンインターレース（ｐ）等に変換する。そして、映像処理部２２３は、変換した後の映像データを、ディスプレイ２２４に供給する。なお、映像処理部２２３の出力先として、例えば外部モニタ装置あるいは投影装置（プロジェクタ装置）等が接続可能な、出力端２２５を選択しても良い。
【００１４】
一方、分離部２１２により分離された音声データは、音声処理ブロック２３１に入力される。音声処理ブロック２３１は、音声デコーダ２３２と、音声処理部２３３と、遅延部２３４と、Ｄ−Ａコンバータ２３５と、を備える。
【００１５】
そして、音声デコーダ２３２は、入力された音声データをデコードし、デジタル音声信号として出力する。
音声デコーダ２３２によりデコードされた音声信号は、音声処理部２３３に入力される。そして、音声処理部２３３は、入力された音声信号を、音声出力装置で再生可能に処理し、遅延部２３４に出力する。そして、遅延部２３４は、入力された音声信号に対して、映像処理部２２３が出力する映像信号との間の時間的な整合のために、所定時間の遅延を与える（音声（オーディオ）出力を遅延させる）。そして、遅延が与えられた後の音声信号は、Ｄ−Ａコンバータ２３５に入力される。そして、Ｄ−Ａコンバータ２３５は、入力された音声信号から、アナログの音声（オーディオ）出力を得る。
【００１６】
Ｄ−Ａコンバータ２３５から出力されたアナログの音声は、例えばスピーカ２３６に入力される。なお、Ｄ−Ａコンバータ２３５から出力されたアナログの音声は、ＡＶ（Audio  Visual）アンプ等が接続可能な出力端２３７に対して、分岐入力しても良い。
【００１７】
また、遅延部２３４により所定時間の遅延が与えられた音声（オーディオ）信号は、ＩＰ電話制御部２４１にも入力可能とする。ＩＰ電話制御部２４１は、通信セット２４４と接続可能とする。通信セット２４４は、例えば、マイクロフォン２４２と、イヤホン２４３と、カメラ２４６と、を含む。また、イヤホン２４３の代わりに、音声再生部として、低出力の音声再生向けスピーカであってもよい。カメラ２４６は、外部の環境に存在するユーザの顔等を撮像する。
【００１８】
また、ＩＰ電話制御部２４１は、Ａ−Ｄコンバータ２４５と、カメラ映像処理部２４８と、を含み、アナログの音声出力を行うＤ−Ａコンバータ２３５を音声（オーディオ）処理ブロック２３１と共用する。Ａ−Ｄコンバータ２４５は、マイクロフォン２４２から入力されたアナログの音声を、音声（オーディオ）信号に変換する。カメラ映像処理部２４８は、カメラ２４６から入力された信号に対して処理を行い、映像データを生成する。
【００１９】
主制御ブロック２５１が、映像表示装置１００の、チューナ部２１１、分離部２１２、映像処理ブロック２２１、音声処理ブロック２３１及びＩＰ電話制御部２４１のそれぞれを制御し、所定の動作を実行させる。
【００２０】
主制御ブロック（Main  Processing  Unit，以下、ＭＰＵと称す）２５１は、ＣＰＵ（Central  Processing  Unit）２５２と、ＲＯＭ２５６と、ＲＡＭ２５７と、ＧＵＩ制御部２５４と、ネットワーク制御部２５５と、操作入力部２５３と、を少なくとも備える。
【００２１】
ＲＯＭ２５６は、動作プログラムを保持する。ＲＡＭ２５７は、ワークメモリとして機能する。ＧＵＩ制御部２５４は、ディスプレイ２２４に表示するＧＵＩ（Graphical  User  Interface，グラフィカルユーザインタフェース）の表示、及びＧＵＩからのユーザ入力を処理する。
【００２２】
ネットワーク制御部２５５は、インターネット通信回線１５０との間の接続、すなわちインターネット通信回線１５０からのさまざまな情報の取得及びインターネット通信回線１５０へのユーザからのアクセス等を制御する。本実施形態においては、ネットワーク制御部２５５は、テレビ電話システムによる他の通信機器との間で、コミュニケーションを行うためのデータを送受信する。
【００２３】
また、ＭＰＵ２５１には、操作入力部２５３が接続されている。操作入力部２５３は、ユーザからの制御入力を受け付ける。また、操作入力部２５３は、例えばチューナ（入力）部２１１が選択するチャンネルを特定するチャンネルキー（ボタン）や、電源のオン／オフに用いる電源スイッチを備える。さらに、操作入力部２５３は、リモートコントローラ（以下、リモコンとも称す）１２０からの指示や制御入力を受け付ける。その上、操作入力部２５３は、文字や記号あるいは数字等の入力を可能とするキー操作入力部（キーボード）等が接続されてもよい。
【００２４】
リモコン１２０は、チャネルキーや、電源スイッチを備えるほか、ＩＰ電話による通話を開始するための操作キーを備える。そして、当該操作キーによる操作が行われた場合に、操作入力部２５３が、当該操作に基づく指示等を受け付ける。
【００２５】
ＣＰＵ２５２は、ＲＯＭ２５６に格納された動作プログラムを読み出した後、ＲＡＭ２５７を作業領域として用いて当該動作プログラムによる制御を行う。この動作プログラムには、ＩＰ電話プログラムが含まれている。当該ＩＰ電話プログラムは、インターネット通信回線１５０を用いて、通信機器１８０等とテレビ電話等による通話を行うためのプログラムとする。ＩＰ電話プログラムは、周知のプログラムで提供される機能を含んでいてもよく、例えばＳｋｙｐｅ（登録商標）社が提供するインターネット電話「Ｓｋｙｐｅ」の機能を利用しても良い。
【００２６】
そして、ＣＰＵ２５２で実行されたＩＰ電話プログラムは、通信セット２４４のマイクロフォン２４２により集音されたユーザの音声を示した音声信号をパケット化し、ネットワーク（インターネット通信回線）１５０を介して接続された通信相手先に送信する。また、カメラ２４６を利用する場合、ユーザを撮像した映像データをパケット化し、音声信号とともに送信する。
【００２７】
また、ＣＰＵ２５２で実行されたＩＰ電話プログラムは、ネットワーク制御部２５５を介して、通信相手先から情報を受信した場合、当該情報から音声信号や映像データを分離し、復号化する。そして、復号化された音声信号は、音声処理部２３３に出力される。そして、音声処理部２３３により処理が行われた音声信号は、Ｄ−Ａコンバータ２３５に出力される。これにより、スピーカ２３６又はイヤホン２４３から、相手からの音声が出力される。
【００２８】
一方、復号化された映像データは、映像処理部２２３に出力される。映像処理部２２３は、復号化された映像データである、ＪＰＥＧ（Joint  Photographic  Experts  Group）に代表される静止画や、例えばＭＰＥＧ（Moving  Picture  Experts  Group）−２，ＭＰＥＧ−４（Ｈ．２６４−ＡＶＣ）に代表される動画を再生できる。このように、映像処理部２２３は、コンテンツを再生する時の処理の他、ＩＰ電話による映像データを再生する時の処理も行う。
【００２９】
フラッシュメモリ２６１は、ＭＰＵ２５１と接続されている。そして、フラッシュメモリ２６１は、ＭＰＵ２５１からの制御に従って様々なデータを記憶する記憶手段として機能する。
【００３０】
図２は、ｓｋｙｐｅを利用する際に表示するリストを示した表示画面例である。図に示すリストは、ユーザがｓｋｙｐｅの機能を利用して電話をかける場合に呼び出されるもので、ｓｋｙｐｅユーザ（ｓｋｙｐｅを利用できる環境にあるユーザ）の一覧リストである。
【００３１】
表示されたリストのリスト枠１０の中に、ｓｋｙｐｅユーザ名（Ｎａｍｅ１、Ｎａｍｅ２、Ｎａｍｅ３など）が表示され、このユーザ名の右横にはその個人からのメッセージ２０が表示される。また、このリスト枠１０の周辺位置には上下左右にスクロール可能なスクロール方向マークが設けられている。ｓｋｙｐｅユーザが多い場合は、リスト枠１０に入りきらないので下方向に隠れた状態となる。また、メッセージ２０も文字数が多い場合は、リスト枠１０に入りきらないので右方向に一部隠れた状態となる。このように、ユーザはリスト枠１０内に入りきらない場合は、スクロール方向マークをスクロールさせて隠れた部分を見ることになる。
【００３２】
本実施形態によれば、リスト枠１０内に表示された項目の表記が長いとリスト枠１０内に収まらないので隠れており、右方向にスクロールさせると続きを見ることができる。その為、右スクロール方向マーク４０を点滅させて続きがあることをユーザに知らせると共に、スクロールさせる方向も知らせる。また右方向にスクロールさせた場合、左方向を示すスクロール方向マーク５０も点滅させ左方向に隠れた表記があることを知らせる。
【００３３】
さらに、リストの件数（ｓｋｙｐｅユーザの件数）が多くなると、リスト枠１０内に収まらないので、下方向のスクロール方向マーク３０を点滅させ、この点滅によって下方向に隠れたリストがあることを知らせると同時にスクロールできることも知らせる。また下方向にスクロールさせた場合、上方向を示すスクロール方向マーク６０も点滅させ、今度は上方向に隠れたリストがありスクロールできることを知らせる。
【００３４】
すなわち、スクロール方向マーク自身が点滅することにより、ユーザに対し、どの方向に隠れた項目があるかを知らせたり、リモコン１２０の有効となっている方向キーを知らせたりすることができる。
【００３５】
なお、ここではスクロール方向マークを点滅表示させたが、例えば、点灯表示にしたり、スクロール方向マークを色付きにしたり、スクロール方向マーク自体を拡大表示するなどしてもよい。また、スクロール方向マークではなくポップアップ表示、メッセージボードを出すなどしてユーザに知らせる手段をとってもよい。
【００３６】
図３は、図２のリスト表示を表示するためのフローチャートである。
まず、ユーザはＩＰ電話「ｓｋｙｐｅ」による通話を開始するためリモコン１２０を使って、例えば図示しないＩＰ電話ボタンを押すと、操作入力部２５３を介してＣＰＵ２５２にコマンドが通知される。ＣＰＵ２５２は、このコマンドを受けると、予め格納されたフラッシュメモリ２６１からｓｋｙｐｅユーザのリストを読み出すとともに、ＧＵＩ制御部２５４を制御してこのリストをディスプレイ２２４に表示させる。
【００３７】
ＣＰＵ２５２はディスプレイ２２４にリストが表示されると（ステップＳ１）、リストの１レコード内に隠れた表示があるか否かを確認する（ステップＳ２）。隠れた表示がない場合（ステップ２のＮ）、ＣＰＵ２５２は右方向を示すスクロール方向マークを点滅表示させないよう制御する（ステップＳ３）。隠れた表示がある場合（ステップ２のＹ）、ＣＰＵ２５２は１レコード内の右方向に隠れた表示があることを示すために、ＧＵＩ制御部２５４を制御して右方向を示すスクロール方向マーク４０を点滅表示させる（ステップＳ４）。
【００３８】
今度は、ＣＰＵ２５２は下方向に隠れたリストがあるか否かを確認する（ステップＳ５）。隠れた表示がない場合（ステップＳ５のＮ）、ステップ３同様に、下方向を示すスクロール方向マーク３０を点滅表示させないよう制御する（ステップＳ６）。隠れた表示がある場合（ステップ５のＹ）、ＣＰＵ２５２は下方向に隠れた表示があることを示すために、ＧＵＩ制御部２５４を制御して下方向を示すスクロール方向マーク３０を点滅表示させる（ステップＳ７）。
【００３９】
ユーザは点滅表示されている右方向を示すスクロール方向マーク４０をスクロールすると（ステップＳ８）、リストの１レコード内の左右方向に隠れた表示が出てくることがある。ＣＰＵ２５２はこの１レコード内の左右方向に隠れた表示があるか否かを確認し（ステップＳ９）、右方向にまだ隠れた表示があると判断した場合はスクロール方向マーク４０を点滅表示させる（ステップＳ１０）。左方向に隠れた表示があると判断した場合は（右方向にスクロールすると左方向の表記が隠れる）、スクロール方向マーク５０を点滅表示させる（ステップＳ１１）。
【００４０】
次に、ユーザは点滅表示されている下方向を示すスクロール方向マーク３０をスクロールすると（ステップＳ１２）、上下方向に隠れたリストが出てくることがある。ＣＰＵ２５２はこの上下方向に隠れたリストがあるか否かを確認し（ステップＳ１３）、下方向にまだ隠れているリストがあると判断した場合はスクロール方向マーク３０を点滅表示させる（ステップＳ１４）。上方向に隠れたリストがあると判断した場合は（下方向にスクロールすると上方向の表記が隠れる）、スクロール方向マーク６０を点滅表示させる（ステップＳ１５）。
【００４１】
上記したように実施形態によると、スクロール方向マークが点滅することにより、どちら側の方向に隠れた項目があるかユーザに知らせることができ、現在リモコンのどの方向キーが有効となっているか、またどの方向キーを押下すればどの方向にスクロールさせることができるのかを同意に知らせることができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１００・・・映像表示装置、１２０・・・リモコン、２５１・・・主制御ブロック、２５４・・・ＧＵＩ制御部、２２４・・・ディスプレイ、２６１・・・フラッシュメモリ。
【図１】
2012141787.tif 000003
【図２】
2012141787.tif 000004
【図３】
2012141787.tif 000005